(57)【要約】【課題】通常信号および過入力信号入力のどちらの場合にも、受信回路の性能を低下させることなく、過入力保護回路通過後に通常運転を可能とする無線送受信装置を提供する。【解決手段】電力増幅された送信信号を送受信アンテナから送信し、前記送受信アンテナで受信された受信信号を受信側の低雑音増幅器に供給する無線送受信装置において、受信信号を検波する検波部１２と、検波部が検波した受信信号と閾値とを比較する比較部１３と、高周波過入力受信信号レベルを抑制する過入力保護部１４を有し、比較部は受信信号の受信時に受信信号を直流電圧に変換し閾値を基準として過入力保護機能の動作を切り替えると共に、過入力保護部は受信信号の受信時に受信信号を抽出し逆位相信号を加算して受信信号レベルの抑制を行う無線送受信装置。【選択図】図１
2012205009.tif 000002
【特許請求の範囲】
【請求項１】
電力増幅された送信信号を送受信アンテナから送信し、前記送受信アンテナで受信された受信信号を受信側の低雑音増幅器に供給する無線送受信装置において、
受信信号を検波する検波部と、
前記検波部が検波した受信信号と閾値とを比較する比較部と、
高周波過入力受信信号レベルを抑制する過入力保護部を有し、
前記比較部は、受信信号の受信時に受信信号を直流電圧に変換し、前記閾値を基準として過入力保護機能の動作を切り替えると共に、前記過入力保護部は、前記受信信号の受信時に受信信号を抽出し、逆位相信号を加算して受信信号レベルの抑制を行うことを特徴とする無線送受信装置。
【発明の詳細な説明】
【技術分野】
【０００１】
この発明は、受信信号の過入力を検出して信号レベルの抑制を行うことで受信回路の保護を行う保護回路を備えた無線送受信装置に関する。
【背景技術】
【０００２】
従来、船舶等に搭載される無線装置は、船舶用レーダー装置から送信される尖頭電力または平均電力が非常に大きな送信の受信を考慮して、無線装置内の受信回路の入力側に、送信の入力信号が所定の入力レベルを上回るときに、受信回路への入力信号を抑制する機能を備える場合が知られている。
【０００３】
特許文献１は、受信信号が過大な入力レベルである場合に、入射波と反射波を検波する検波回路を用いてＦＥＴを動作させ、主線路を接地することで入力信号の供給を遮断させる保護回路を備えた無線送受信装置を開示している。
【先行技術文献】
【特許文献】
【０００４】
【特許文献１】特開２００８−２１９３５５号公報
【発明の概要】
【発明が解決しようとする課題】
【０００５】
しかし、特許文献１の従来技術が示す過入力を保護する保護装置は、過入力があった瞬間において受信信号をＦＥＴを介してそのまま接地側とショートしてしまうものである。しかし、この方法で受信信号をショートすると、受信回路の性能劣化の原因となったり、受信信号を受信できない可能性がある。
【課題を解決するための手段】
【０００６】
課題を解決する一実施形態は、
電力増幅された送信信号を送受信アンテナから送信し、前記送受信アンテナで受信された受信信号を受信側の低雑音増幅器に供給する無線送受信装置において、
受信信号を検波する検波部と、
前記検波部が検波した受信信号と閾値とを比較する比較部と、
高周波過入力受信信号レベルを抑制する過入力保護部を有し、
前記比較部は、受信信号の受信時に受信信号を直流電圧に変換し、前記閾値を基準として過入力保護機能の動作を切り替えると共に、前記過入力保護部は、前記受信信号の受信時に受信信号を抽出し、逆位相信号を加算して受信信号レベルの抑制を行うことを特徴とする無線送受信装置。
【発明の効果】
【０００７】
受信回路に高周波信号が入力された場合でも過入力保護部は主線路から切り離されているため、低損失を保つことができる。また、比較部による過入力保護部の制御を行っているため、容易に保護回路の閾値を変更することができる。
【図面の簡単な説明】
【０００８】
【図１】本発明の一実施形態に係る無線送受信装置の構成を示すブロック図。
【図２】検波回路、電圧比較器、保護回路を詳細に示す該無線送受信装置の回路図。
【発明を実施するための形態】
【０００９】
以下、この発明の実施の形態について図面を参照して詳細に説明する。  
本発明の一実施形態に係る無線送受信装置１は、図１に示すように、アンテナ１１と、この後段に設けられた検波回路１２と、この後段に設けられた電圧比較器１３と、この後段に設けられた保護回路１４と、この後段に設けられた受信回路１５とを有する。
【００１０】
このような構成をもつ無線送受信装置１において、図示しない試験用レーダーから送信されたレーダーパルス及び入力信号Ｓ１は、無線送受信装置を構成する図１のアンテナ１１より受信され、保護回路１４に入力される。検波回路１２は、入力信号Ｓ１を保護回路１４に出力するとともに、入力信号Ｓ１を検波して、検波出力を電圧比較器１３に出力する。
【００１１】
電圧比較器１３は、入力信号Ｓ１の検波出力に応じ、入力信号が過大な入力レベルか通常の入力レベルかを判断し、過大な入力レベルであれば、保護回路１４を動作させるための信号Ｓ３を出力し、通常入力レベルであれば、保護回路１４を動作させない信号Ｓ３を保護回路１４に出力する。
【００１２】
保護回路１４は、電圧比較器１３の出力信号Ｓ３に応じて保護回路を動作させ、受信回路１５に出力信号Ｓ４出力する。受信回路１５は、入力された入力信号Ｓ４が過大な入力レベルまたは通常入力レベルにかかわらず信号増幅等の処理を行い出力信号を出力する。
【００１３】
また、この一実施形態に係る無線送受信装置は、高周波信号が入力される際に、通常時はＦＥＴが動作状態でないため、過入力保護回路は主線路から切り離されることで、低損失を保つことができる。また、主線路から切り離された副線路は、電圧比較器へ接続され、検波出力に応じて過大な入力レベルであれば保護回路を動作させ、通常入力レベルであれば保護回路を動作させないようにすることができる。
次に、図２は、検波回路、電圧比較器、保護回路を詳細に示す該無線送受信装置の回路図である。本発明の一実施形態に係る無線送受信装置１において、図２に示すように、アンテナ部１１の後段にコンデンサ１６が設けられ、この後段の検波回路１２は、主線路２１ａ、副線路２１ｂで構成される結合器と、副線路２１ｂの片側を接地する抵抗器２２と、検波回路２３で構成される。
【００１４】
主線路２１ａ、副線路２１ｂで構成される結合器は、誘電体基板上で構成されたマイクロストリップライン線路であり、主線路２１ａと副線路２１ｂは、結合度に応じてその間隔を調整し、副線路２１ｂに入力される入力レベル調整を行う。副線路２１ｂは、入力信号Ｓ１の波長λの１／４に設定される。
【００１５】
ここで、結合器は、入力信号Ｓ１を主線路２１ａを通過する信号Ｓ２ａと、副線路２１ｂを通過する信号Ｓ２ｂに分配する。副線路２１ｂを通過した信号Ｓ２ｂは、検波ダイード２３に入力される。検波回路２３としては、ショットキーバリアダイオードなどが採用される。ここで、検波回路２３は、信号Ｓ２ｂを検波して電圧比較器１３に出力する。
【００１６】
電圧比較器１３としてはコンパレータ２４などが採用される。またはシュミットトリガ回路でもよい。
ここで、電圧比較器１３を通過した信号Ｓ３は、ＦＥＴ２５，２６をオン／オフ制御し、過入力保護回路をアクティブ状態もしくは非アクティブ状態にする。保護回路１４は、過入力保護用ダイオード３１，３２と、この過入力保護用ダイオード３１，３２を能動状態にするＦＥＴ２５，２６とで構成される。また、過入力保護用ダイオード３１，３２の前後にマッチング回路２７，２８，２９，３０を挿入すれば、制御値をそれぞれ独立して決定することができる。
【００１７】
ＦＥＴ２５，２６は、過入力保護用ダイオード３１，３２をアクティブ状態にするものであり、スイッチの役割を担う。ＦＥＴ２５，２６としては、ＭＯＳＦＥＴ等の応答速度の良いスイッチを使用することができる。
また、過入力保護用ダイオード３１，３２は、それぞれ方向が逆向きに設けられることで、独立して正位相側と逆位相側の信号レベルを抑制する。
【００１８】
コンパレータ２４は、入力信号Ｓ１が過大レベルの場合、ＦＥＴ２５，２６に入力される信号Ｓ３がＦＥＴ２５，２６の閾値を上回るように、閾値が設定される。
ここで、入力信号Ｓ１が過大レベルの場合、ＦＥＴ２５，２６がオン状態となり、過入力保護用ダイオード３１，３２がアクティブとなる。さらに、過入力保護用ダイオード３１，３２に入力された信号を元にして逆位相信号を加算して信号レベルの抑制を行う。
また、入力信号Ｓ１が通常レベルの場合、ＦＥＴ２５，２６はオフ状態であり、過入力保護用ダイオード３１，３２は非アクティブとなり、過入力保護用ダイオード３１，３２が未結線状態の信号経路となる。これにより、高周波において、過入力保護用ダイオード３１，３２結線による損失が少なくなる。
【００１９】
保護回路１４から出力された出力信号Ｓ４は、コンデンサ１７を通過後、受信回路１５に入力される。
従って、この過入力保護回路を有する無線送受信装置は、試験用レーダーパルスにも耐性を有する無線送受信装置として適している。
【００２０】
また、上述したように逆方向のダイオードをもつ複数のＦＥＴを用いて、それぞれ独立して正位相側と逆位相側につきそれぞれ最適な値で信号レベルを抑制することができる。  また、コンパレータ２４を用いて信号レベルを判断しているため、容易に閾値を変更することができる。
【００２１】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２２】
１１…アンテナ、１２…検波回路、１３…電圧比較器、１４…保護回路、１５…受信回路、１７…コンデンサ、２１…結合回路、２１ａ…主線路、２１ｂ…副線路、２２…抵抗器、２３…検波回路、２４…電圧比較器、２５，２６…ＦＥＴ、３１，３２…過入力保護用ダイオード、２７，２８，２９，３０…マッチング回路。
【図１】
2012205009.tif 000003
【図２】
2012205009.tif 000004